(57)【要約】【課題】軽量かつ高い強度をもちながら、人間工学の設計に沿った設計をシート座面に適用させることができる折り畳み椅子を提供する。【解決手段】本考案の折り畳み椅子は、Ｕ字型の前脚１と、Ｕ字型の後脚３と、前後脚により下方から支持されるシート４と、前脚の上端に形成される背もたれ２を含む。前脚１と後脚３は、前脚１の左右両側平行部の中間に形成した組み付け穴１１を利用して枢結される。前脚１は、左右両側平行部の中間の上方に設置したＬ字型連結具１３により、シート４の左右両側平行部の後寄りに回転自在に結合する。後脚３は、後脚３の上端に挿入された引き金５の露出端がシート４の左右両側平行部の中間と回転自在に結合する。シート４は、シート本体４２の後縁と左右両側縁とをＵ字型枠４１で囲むことにより形成されるため、開き口となる前縁はそのシート形状を変化させることができる。【選択図】図１
0003162314.tif 000002
【実用新案登録請求の範囲】
【請求項１】
Ｕ字型の前脚と、
前記前脚の左右両側の平行部中間において枢結されるＵ字型の後脚と、
前記前脚と前記後脚とにより下方から支持された状態で上面を座面として使用するシートと、
前記前脚の上端に形成される背もたれと、
を備え、
前記シートは、シート本体の左右両側縁と前縁３方或いは、左右両側縁と後縁３方をＵ字型枠で取り囲むように形成され、
前記前脚は、前記後脚との枢結部の上方の位置にＬ字型連結具の一端が組み付けられ、
前記Ｌ字型連結具の他端は、前記Ｕ字型枠の左右両側の平行部後部寄りに枢結され、
前記後脚は、前記後脚の上端に構設されるスリーブに挿入され前記シートの動きに合わせて上下動するように一端を枢結された引き金によって、前記Ｕ字型枠の左右両側の平行部中間と連結されており、
前記シートが略水平状態の使用状態から、前記前脚と前記後脚と前記シートとが略水平状態となることを特徴とする折り畳み椅子。
【考案の詳細な説明】
【技術分野】
【０００１】
本考案は後脚に上下に動く引き金を備え、シート本体はＵ字型枠で囲まれている折り畳み椅子に関する。
【背景技術】
【０００２】
従来、折り畳み椅子は種類が非常に多く、機能としては、折り畳める以外に、重量が比較的軽いことから、保存と運搬の面で便利である。一方、折り畳み椅子の改善すべき点として、シートの構造が挙げられる。従来の設計によるシートには、開口部のない金属製の枠に木製の底部を取り付けたもの、金属板を直接シート本体に圧着したもの、プラスチックで成形したものなどがある。
【考案の概要】
【考案が解決しようとする課題】
【０００３】
上述した従来の折り畳み椅子では、シート本体が金属製の枠で囲まれているので、シートの形を変化させ、曲線を持たせるような形状を実現することができない。また、金属板を直接シート本体に圧着したものは、製造設備が大きくなるため生産コストが高くなり、使用できる材料も制限される。プラスチックを材料としてシート本体を作る場合は、支持可能な重量を大きくすることができる。ただし、材料と荷重の大きさの関係によっては金属材料とプラスチックを組み合わせて、座面の支持強度を高める必要があるので、折り畳み椅子全体の重量増加や折り畳んだ時の体積増加につながる場合がある。
【０００４】
本考案の目的は、軽量かつ高強度でありながら、人間工学の設計に沿った設計をシート形状に適用させることが可能な折り畳み椅子を提供することにある。
【課題を解決するための手段】
【０００５】
本考案の折り畳み椅子は、Ｕ字型の前脚と、Ｕ字型の後脚と、前後脚により下方から支持されるシートと、前脚の上端に形成される背もたれを含む。
前脚と後脚は、前脚の左右両側平行部の中間に形成した組み付け穴により相互に回転できるように組み付けられる。前脚は、後脚との組み付け部の上方に組み付けられたＬ字型連結具を用いて、シートの左右両側平行部の後寄りに回転自在に結びつけられる。後脚は、後脚上端に固着されたスリーブに引き金が挿入され、この引き金によりシートの左右両側平行部の中間と回転自在に結びつけられる。本考案の椅子を使用状態から折り畳む際には、シートの前端を上方に押し上げることで、後端はＬ字型連結具の作用により下方に、前端は引き金の作用により上方に動き、シートと、前脚と、後脚とが一列に並ぶ形にできる。
シートは、シート本体の左右両側縁と前縁の３方、或いは左右両側縁と後縁の３方をＵ字型枠で取り囲むように形成される。Ｕ字型枠の開口部では、シート本体の形状を変化させることが可能となり、人間工学の設計に沿ったシート形状を取り入れることができる。
背もたれは、左右両側下部に差し込みピンと差し込み管を備え、差し込みピンは前脚の左右両側上部の内側に形成される差し込み穴に嵌め合わされ、差し込み管は前脚の左右両側上端の穴に挿入され、背もたれを前脚に組み付ける。
【０００６】
本考案の折り畳み椅子では、椅子が展開されている状態において、引き金とＵ字型枠の組み付け点と、Ｌ字型連結具の組み合せ部分と、前脚と後脚の組み付け点と、の３点支持により、シートは安定して支持される。また、Ｌ字型連結具と引き金の作用により、展開されている形からシートの前端を上方に押し上げれば、簡単にシートと後脚が前脚と一列に並ぶ形に折り畳まれる。
【図面の簡単な説明】
【０００７】
【図１】：本考案の折り畳み椅子の第１実施形態の斜視図である。
【図２】：本考案の折り畳み椅子の第１実施形態の分解斜視図である。
【図３】：本考案の折り畳み椅子の第２実施形態の斜視図である。
【図４】：本考案の折り畳み椅子の第２実施形態の分解斜視図である。
【図５】：本考案の折り畳み椅子の第１実施形態のシートの分解斜視図である。
【図６】：本考案の折り畳み椅子の第２実施形態のシートの分解斜視図である。
【図７】：本考案の折り畳み椅子の第１実施形態のシートの形状を変化させた例を示す斜視図である。
【考案を実施するための形態】
【０００８】
以下、本考案の実施形態を図１〜図７に基づいて説明する。
【０００９】
（第１実施形態）
本考案の第１実施形態に係る折り畳み椅子を図１、図２、図５に示す。本考案の第１実施形態において、折り畳み椅子は、Ｕ字型の前脚１と、Ｕ字型の後脚３と、前後脚により下方から支持されるシート４と、前脚の上端に形成される背もたれ２を含む。前脚１と後脚３は、それぞれ開口部を上にして前脚１の左右両側平行部の中間に形成した組み付け穴１１を回転中心として組み付けられる。前脚１は、左右両側平行部の中間の上方にＬ字型連結具１３の一端が組み付けられており、Ｌ字型連結具１３の他端は、シート４の外枠となるＵ字型枠４１の左右両側平行部の後寄りに回転自在に連結する。後脚３は、後脚３の上端に中央貫通孔を持つスリーブ３１を固着し、スリーブ３１の上端より挿入された引き金５の露出端がシート４の外枠となるＵ字型枠４１の左右両側平行部の中間と回転自在に連結する。前脚１の左右両側平行部の上部内側に形成されている差し込み穴１２は、背もたれ２の下部左右両側に形成されている差し込みピン２１に嵌め合わされ、背もたれ２の差し込みピン２１のすぐ上方にあるさしこみ管２２を前脚１の上端にあるさしこみ穴に挿入されている。
【００１０】
引き金５とＵ字型枠４１の組み付け点と、Ｌ字型連結具１３の組み合せ部分と、前脚１と後脚３の組み合せ点との３点の支持点を頂点として、三角形を形成し、前脚１と後脚３によるシート４に対する支持強度を高めている。
【００１１】
図５を参照する。本考案のシートは、パイプで作ったＵ字型枠４１とシート本体４２とで構成されている。シート本体４２は、その前部の２つの角にさし合せ具４２１を形成し、さし合せ具４２１は、Ｕ字型枠４１の左右両端の差し込み口に挿入され、固定金具（例えば、ねじ等）で固定することでシート４を形成する。Ｕ字型枠４１がシート本体４１の後縁とその左右両側縁を支えることで座面の支持強度が増加し、シート４は重量物を支えることができる。
【００１２】
シート本体４２の前縁はＵ字型枠４１で囲まれていないので、シート本体４２の前端は曲線状などに設計することが可能であり、人間工学の設計にあわせてシート本体４２の形状を変化させることができる。図７はその一例を示す。
【００１３】
（第２実施形態）
本考案の第２実施形態に係る折り畳み椅子を図３、図４、図６に示す。その構造は殆んど第１実施形態と同じであり、シート４の構造が異なるだけである。第２実施形態のシート４は、図６が示すようにＵ字型枠４１とシート本体４２で構成されるが、第１実施形態のＵ字型枠４１は開き口が前側にあるのに対して、第２実施形態のＵ字型枠４１はその開き口が後側にある。この場合、第２実施形態のシート本体４２にあるさし合せ具４２１は、第１実施形態の場合と異なり、後側の二角に備えられている。
【００１４】
前述の実施形態において、シートの形状、脚部の形状等で使用された語彙ならびに説明は、本考案の好ましい実施形態の説明を目的とし、本考案になんらの制限を加えるものではない。よって、本考案の分野を熟知する者は、本考案に開示された内容に基づいて、形状の変更により実現される変化、効果を容易に想到できるものであり、これらは本考案の実用新案登録請求の範囲に含まれる。
【符号の説明】
【００１５】
１    ・・・前脚、
１１  ・・・組み付け穴、
１２  ・・・差し込み穴、
１３  ・・・Ｌ字型連結具、
１３１・・・組み合せ穴、
２    ・・・背もたれ、
２１  ・・・差し込みピン、
２２  ・・・差し込み管、
３    ・・・後脚、
３１  ・・・スリーブ、
４    ・・・シート、
４１  ・・・Ｕ字型枠、
４２  ・・・シート本体、
４２１・・・さし合せ具、
５    ・・・引き金。
【図１】
0003162314.tif 000003
【図２】
0003162314.tif 000004
【図３】
0003162314.tif 000005
【図４】
0003162314.tif 000006
【図５】
0003162314.tif 000007
【図６】
0003162314.tif 000008
【図７】
0003162314.tif 000009